(57)【要約】【課題】外観意匠性に優れた外壁施工構造を提供すること。【解決手段】上辺に設けた上部下実部１１と下辺に設けた下部上実部１２とを有する外壁板１０を、複数枚上下合決り接合しつつ施工して、外壁を構築してなる外壁施工構造１。外壁板１０は、意匠面１４に横目地部２と該横目地部２の間に形成される凸部１０１とを有し、意匠面１４の下端部には後方に傾斜した下端傾斜部１２１を設け、意匠面１４の上端には凸部１０１よりも後退した接合目地部１３を設けてなる。互いに上下合決り接合された２つの外壁板１０において、上側の外壁板１０の下端傾斜部１２１と、下側の外壁板１０の接合目地部１３とは、上下に隣接配置されていると共に、接合目地部１３の前端部１３１は、下端傾斜部１２１の下端部１２２よりも前方に突出配置されている。【選択図】図１
2006200321.tif 000002
【特許請求の範囲】
【請求項１】
上辺に設けた上部下実部と下辺に設けた下部上実部とを有する外壁板を、複数枚上下合決り接合しつつ施工して、外壁を構築してなる外壁施工構造であって、
上記外壁板は、意匠面に横目地部と該横目地部の間に形成される凸部とを有し、
上記意匠面の下端部には後方に傾斜した下端傾斜部を設け、上記意匠面の上端には上記凸部よりも後退した接合目地部を設けてなり、
互いに上下合決り接合された２つの上記外壁板において、上側の外壁板の上記下端傾斜部と、下側の外壁板の上記接合目地部とは、上下に隣接配置されていると共に、上記接合目地部の前端部は、上記下端傾斜部の下端部よりも前方に突出配置されていることを特徴とする外壁施工構造。
【請求項２】
請求項１において、上記接合目地部の前端部は、上記下端傾斜部の下端部よりも、上記横目地部の深さの５〜２５％の厚み分、前方に突出配置されていることを特徴とする外壁施工構造。
【請求項３】
請求項１又は２において、上記接合目地部は、上記横目地部と同等の深さに形成された後端部から、その上方かつ前方にある上記前端部へ向かって傾斜した目地傾斜面を有することを特徴とする外壁施工構造。
【請求項４】
請求項３において、上記目地傾斜面は、上記下端傾斜部と略平行に形成されていることを特徴とする外壁施工構造。
【請求項５】
請求項１〜４のいずれか一項において、上記接合目地部の前端部は、曲面によって構成されていることを特徴とする外壁施工構造。
【発明の詳細な説明】
【技術分野】
【０００１】
本発明は、複数枚の外壁板を上下に合決り接合しつつ施工して、外壁を構築してなる外壁施工構造に関する。
【背景技術】
【０００２】
従来より、図５に示すごとく、外壁板９０の上辺に設けた上部下実部９１に、外壁板９０の下辺に設けた下部上実部９２を覆い重ねて、複数枚の外壁板９０を上下に合決り接合して施工してなる外壁施工構造９がある。
該外壁施工構造９においては、上側の外壁板９０の意匠面９４の下端における下端角部９２１と、下側の外壁板９０の意匠面９４の上端に形成された接合目地部９３とが、前後位置において一致するように上部下実部９１と下部上実部９２とを接合する。
【０００３】
しかし、図６に示すごとく、外壁下地面の不陸、施工誤差、あるいは外壁板９０の寸法誤差等により、上側の外壁板９０が下側の外壁板９０に対して前方に突出しすぎて、下端角部９２１が接合目地部９３よりも前方に突出することがある。これにより、上記下端角部９２１と上記接合目地部９３に段差Ｓが生じると、斜め上方からの日差しＬにより、上記接合目地部９３に上記下端角部９２１の影が映ってしまう。そして、その影は外壁面の左右方向にわたって連続形成され、意匠面９４の外観が分断されて美観が損なわれる場合がある。
【０００４】
また、上下の壁板の接合部において、影が形成されることを防ぐ手段として、表面の下端部に面取り部を設けた壁板の接合構造が提案されている（特許文献１参照）。
しかしながら、上記特許文献１の壁板施工構造は、継ぎ目のない大壁風仕上げの外壁を対象とするものである。そのため、わずかなズレも目立ちやすく、面取り部の傾斜も大きくすることはできない。それゆえ、壁板の前後のズレとしては、わずかなズレしか想定されていない。
したがって、外壁を施工する場合における、外壁下地面の不陸、施工誤差、あるいは外壁板の寸法誤差等に充分対応することは困難である。
【０００５】
【特許文献１】実開平６−４０１６８号公報
【発明の開示】
【発明が解決しようとする課題】
【０００６】
本発明は、かかる従来の問題点に鑑みてなされたもので、外観意匠性に優れた外壁施工構造を提供しようとするものである。
【課題を解決するための手段】
【０００７】
本発明は、上辺に設けた上部下実部と下辺に設けた下部上実部とを有する外壁板を、複数枚上下合決り接合しつつ施工して、外壁を構築してなる外壁施工構造であって、
上記外壁板は、意匠面に横目地部と該横目地部の間に形成される凸部とを有し、
上記意匠面の下端部には後方に傾斜した下端傾斜部を設け、上記意匠面の上端には上記凸部よりも後退した接合目地部を設けてなり、
互いに上下合決り接合された２つの上記外壁板において、上側の外壁板の上記下端傾斜部と、下側の外壁板の上記接合目地部とは、上下に隣接配置されていると共に、上記接合目地部の前端部は、上記下端傾斜部の下端部よりも前方に突出配置されていることを特徴とする外壁施工構造にある（請求項１）。
【０００８】
次に、本発明の作用効果につき説明する。
上記外壁施工構造において、上記外壁板の意匠面の下端部には、後方に傾斜した上記下端傾斜部が形成されている。そのため、上側の外壁板の下部上実部の影が接合目地部に形成されることを防ぐことができる。
また、下側の外壁板における上記接合目地部の前端部は、上側の外壁板における上記下端傾斜部の下端部よりも前方に突出している。そのため、上記接合目地部において、上側の外壁板の下部上実部の影が形成されることを防ぐことができる。
【０００９】
すなわち、外壁下地面の不陸、施工誤差、あるいは外壁板の寸法誤差等により、多少、上側の外壁板の下辺が前方にずれたり、下側の外壁板の上辺が後方へずれたりしても、上記接合目地部の前端部が上記下端傾斜部の下端部よりも前方に位置していれば、上側の外壁板の下部上実部の影が上記接合目地部に形成されることはない。
そして、上記接合目地部において意匠面が直線的に分断されることなく、外壁全体で意匠面を連続して表出することができる。その結果、外観意匠性に優れた外壁施工構造を得ることができる。
【００１０】
以上のごとく、本発明によれば、外観意匠性に優れた外壁施工構造を提供することができる。
【発明を実施するための最良の形態】
【００１１】
本発明（請求項１）において、上記外壁板としては、例えば、窯業系材料からなるものを用いることができる。また、上記外壁板は、例えば、タイル調や木目調、及びレンガ調等の意匠が施された意匠面を有することが好ましい。
本明細書において、上記外壁板における、意匠面側を前方とし、外壁下地面側を後方とする。
【００１２】
また、上記接合目地部の前端部は、上記下端傾斜部の下端部よりも、上記横目地部の深さの５〜２５％の厚み分だけ、前方に突出配置されていることが好ましい（請求項２）。
この場合には、上述した外壁下地面の不陸、施工誤差、あるいは外壁板の寸法誤差等がある場合においても、上記外壁施工構造の効果を充分に発揮することができる。また、上記接合目地部を他の横目地部と外観上融合させやすい。
【００１３】
上記接合目地部の前端部の突出量が、横目地部の深さの５％の厚み分未満の場合には、上記外壁板の前後のズレが大きく生じたときに、上記接合目地部に、上側の外壁板の下部上実部の影が形成されるおそれがあり、本発明の効果を充分に発揮することが困難となるおそれがある。
一方、上記接合目地部の前端部の突出量が、横目地部の深さの２５％の厚み分を超える場合には、上記接合目地部が他の横目地部と外観上異質なものとなり、上記接合目地部は他の横目地部と外観上融合しにくくなるおそれがある。
ここで、上記横目地部の深さとは、例えば、上記外壁板の上記凸部において最も前方に突出している部分から横目地部の底面ラインまでの前後距離をいう。
【００１４】
また、上記接合目地部は、上記横目地部と同等の深さに形成された後端部から、その上方かつ前方にある上記前端部へ向かって傾斜した目地傾斜面を有することが好ましい（請求項３）。
この場合には、上記接合目地部への、上側の外壁板の下部上実部の影を生じにくくすることができると共に、上記接合目地部と他の横目地部との外観上の融合を図ることができる。すなわち、上記下端傾斜部の下端部が上記横目地部と同等の深さであることにより、上記接合目地部と他の横目地部との外観上の融合を図ることができる。また、上記目地傾斜面に沿って上記前端部が隆起していることにより、上記接合目地部への、上側の外壁板の下部上実部の影を生じにくくすることができる。
【００１５】
上記目地傾斜面は、上記下端傾斜部と略平行に形成されていることが好ましい（請求項４）。
この場合には、上述した外壁施工構造の効果を充分に発揮することができると共に、上記接合目地部と他の横目地部とを外観上確実に融合させることができる。
ここで、略平行とは、上記下端傾斜部と上記目地傾斜面とのなす角度が、例えば、５°以下であることをいう。
【００１６】
また、上記接合目地部の前端部は、曲面によって構成することが好ましい（請求項５）。
この場合には、上述した外壁施工構造の効果を充分に発揮することができると共に、上記接合目地部の前端部が目立たないようにすることができる。また、施工時等における上記前端部の欠け発生を防ぐことができる。
上記接合目地部の前端部は、例えば、曲率半径が１〜３ｍｍの曲面とすることができる。
【実施例】
【００１７】
本発明の実施例にかかる外壁施工構造１につき、図１〜図４を用いて説明する。
本例の外壁施工構造１は、図１〜図３に示すごとく、上辺に設けた上部下実部１１と下辺に設けた下部上実部１２とを有する外壁板１０を、複数枚上下に合決り接合しつつ施工して、外壁を構築してなる。
上記外壁板１０は、意匠面１４に横目地部２と該横目地部２の間に形成される凸部１０１とを有する。
【００１８】
また、図１に示すごとく、上記外壁板１０の意匠面１４の下端部には後方に傾斜した下端傾斜部１２１が設けられており、一方、上記意匠面１４の上端には凸部１０１よりも後退した位置に接合目地部１３が設けられている。
また、互いに上下合決り接合された２つの外壁板１０において、上側の外壁板１０の下端傾斜部１２１と、下側の外壁板１０の接合目地部１３とは、上下に隣接配置されている。
また、接合目地部１３の前端部１３１は、下端傾斜部１２１の下端部１２２よりも前方に突出配置されている。
【００１９】
また、接合目地部１３の前端部１３１は、下端傾斜部１２１の下端部１２２よりも、横目地部２の深さＤの５〜２５％の厚み分、前方に突出配置されている。横目地部２の深さＤとは、図２に示すごとく、上下に隣接配置されている外壁板１０の凸部１０１において最も前方に突出している部分から、横目地部２の底面ラインＡまでの前後距離をいう。
【００２０】
接合目地部１３は、図１に示すごとく、横目地部２と同等の深さに形成された後端部１３４から、その上方かつ前方にある前端部１３１へ向かって傾斜した目地傾斜面１３２を有している。
また、目地傾斜面１３２は、下端傾斜部１２１と略平行に形成されている。すなわち、下端傾斜部１２１と目地傾斜面１３２とのなす角度を、５°以下としている。
【００２１】
また、接合目地部１３の前端部１３１は、図１に示すごとく、曲面１３３によって形成されている。本例においては、前端部１３１を、曲率半径が１〜３ｍｍの曲面としている。
【００２２】
本例にかかる外壁施工構造１は、図３に示すごとく、ビスや釘等により外壁下地面３に固定した留付け金具４を介して外壁板１０を係止固定して外壁を構築してなる。このとき、外壁板１０は、下部上実部１２の後方に設けられた下辺係合部１２０が留付け金具４の上板係止部４２に係止されると共に、上部下実部１１が留付け金具４の下板係止部４１に係止されることにより、外壁下地面３に留め付けられている。
また、上記横目地部２の幅や深さは、接合目地部１３の幅や深さと同等とする。また、意匠面１４には、例えば、図４に示すごとく、レンガ調の意匠が施される。
【００２３】
次に、本例の作用効果につき説明する。
上記外壁施工構造１において、外壁板１０の意匠面１４の下端部には、後方に傾斜した下端傾斜部１２１が形成されている。そのため、上側の外壁板１０の下部上実部１２の影が接合目地部１３に形成されることを防ぐことができる。
また、下側の外壁板１０における接合目地部１３の前端部１３１は、上側の外壁板１０における下端傾斜部１２１の下端部１２２よりも前方に突出している。そのため、接合目地部１３において、上側の外壁板１０の下部上実部１２の影が接合目地部１３に形成されることを防ぐことができる。
【００２４】
すなわち、外壁下地面３の不陸、施工誤差、あるいは外壁板１０の寸法誤差等により、多少、上側の外壁板１０の下辺が前方にずれたり、下側の外壁板１０の上辺が後方へずれたりしても、接合目地部１３の前端部１３１が下端傾斜部１２１の下端部１２２よりも前方に位置していれば、上側の外壁板１０の下部上実部１２の影が接合目地部１３に形成されることはない。
【００２５】
そして、接合目地部１３において意匠面１４が直線的に分断されることなく、外壁全体で意匠面１４を連続して表出することができる。その結果、外観意匠性に優れた外壁施工構造１を得ることができる。
【００２６】
また、接合目地部１３の前端部１３１は、下端傾斜部１２１の下端部１２２よりも、横目地部２の深さＤの５〜２５％の厚み分だけ、前方に突出配置されている。そのため、外壁下地面３の不陸、施工誤差、あるいは外壁板１０の寸法誤差等においても、上側の外壁板１０の下部上実部１２の影が接合目地部１３に形成されることはない。また、接合目地部１３を他の横目地部２と外観上融合させやすい。
【００２７】
また、接合目地部１３は、後端部１３４から前端部１３１へ向かって傾斜した目地傾斜面１３２を有している。そのため、接合目地部１３への、上側の外壁板１０の下部上実部１２の影を生じにくくすることができると共に、接合目地部１３と他の横目地部２との外観上の融合を図ることができる。すなわち、下端傾斜部１２１の下端部１２２が横目地部２と同等の深さであることにより、接合目地部１３と他の横目地部２との外観上の融合を図ることができる。また、目地傾斜面１３２に沿って前端部１３１が隆起していることにより、接合目地部１３への、上側の外壁板１０の下部上実部１２の影を生じにくくすることができる。
【００２８】
また、接合目地部１３の前端部１３１は曲面１３３によって構成されている。そのため、上述した本発明の効果を充分に発揮することができると共に、接合目地部１３の前端部１３１が目立たないようにすることができる。また、外壁板１０の生産時、運搬時、あるいは外壁施工構造１の施工時等における接合目地部１３の前端部１３１の欠け発生を防ぐことができる。
【００２９】
以上のごとく、本例によれば、外観意匠性に優れた外壁施工構造を提供することができる。
【００３０】
また、意匠面１４は、下端傾斜部１２１の下側に、外壁板１０の裏側面と略平行な、例えば上下幅０．５〜１．５ｍｍ程度の下端平面を有していても良い。
また、上記接合目地部１３は、上記目地傾斜面１３２を有することなく、外壁板１０の裏側面と平行に、平らに形成されていても良い。この場合においても、上記接合目地部１３は、上記下端傾斜部１２１の下端部１２２よりも前方に配置されている。
【図面の簡単な説明】
【００３１】
【図１】実施例における、外壁施工構造の上下合決り接合部の断面説明図。
【図２】実施例における、外壁施工構造の断面説明図。
【図３】実施例における、外壁施工構造の斜視図。
【図４】実施例における、外壁施工構造の正面図。
【図５】従来例における、外壁施工構造の断面説明図。
【図６】従来例における、上側の外壁板が前方にずれた状態を表す、外壁施工構造の断面説明図。
【符号の説明】
【００３２】
１  外壁施工構造
１０  外壁板
１１  上部下実部
１２  下部上実部
１２１  下端傾斜部
１３  接合目地部
１３１  前端部
１４  意匠面
１０１  凸部
２  横目地部
３  外壁下地面
４  留付け金具
【図１】
2006200321.tif 000003
【図２】
2006200321.tif 000004
【図３】
2006200321.tif 000005
【図４】
2006200321.tif 000006
【図５】
2006200321.tif 000007
【図６】
2006200321.tif 000008